(57)【特許請求の範囲】
【請求項１】
先端側に封鎖部が設けられ、内部に試料を吸引するための試料用通路を備えており、周壁面に同通路に連通する吸引用開口が設けられた金属製の吸引用細管と、先端側に封鎖部が設けられ、内部に試料吸引時の通気を行うための通気用通路を備えており、周壁面に同通路に連通する通気用開口が設けられた金属製の通気用細管とを備え、両細管が、先端どうしを揃えた状態で互いに平行に配され接合により一体化されてなり、
前記封鎖部は、金属製の線状部材を各細管の先端から挿入して接合した後に、細管突き刺し用の斜めカット面を設けることによって形成され、これら２つの斜めカット面が背中合わせ状に配されている試料吸引管。
【請求項２】
両細管および線状部材が同一材質からなる請求項１記載の試料吸引管。
【請求項３】
各細管における斜めカット面が略楕円形であり、吸引用開口および通気用開口が、各細管における斜めカット面の長径端に交わる細管母線から外れた箇所に設けられている請求項１または２に記載の試料吸引管。
【請求項４】
吸引用開口および通気用開口が、各細管における斜めカット面の短径端に交わる細管母線の上に設けられている請求項３記載の試料吸引管。
【請求項５】
両細管と同一の材質からなる２つの三角柱状部材をさらに備え、各三角柱状部材は、一方の細管の周壁面と略同一の曲率を有する凹状湾曲面と、他方の細管の周壁面と略同一の曲率を有する凹状湾曲面とが、稜線部を境界として隣り合ったものであり、２つの三角柱状部材が、それぞれの稜線部を対向させた状態で両細管に沿ってそれらの少なくとも先端側部分の周壁面に密着配置されて接合により両細管に一体化され、この一体化によって、試料吸引管の少なくとも先端側部分の横断面輪郭が略楕円形にされている請求項１または2に記載の試料吸引管。
【請求項６】
接合が電気抵抗溶接によるものである請求項５記載の試料吸引管。
【発明の詳細な説明】
【０００１】
【発明の属する技術分野】
本発明は、容器内の液体試料を吸引するための試料吸引管に関するものであり、さらに詳しくは、例えば血液分析装置の一部を構成する試料吸引装置に組み込まれ、密封容器内に収納された液体試料を吸引採取して所定の分析に供するための試料吸引管に関するものである。
【０００２】
【従来の技術】
従来、ゴムキャップや栓などにより密封された試料容器内の液体試料を吸引するための試料吸引管としては、試料を吸引するための吸引用細管と吸引時に通気を行うための通気用細管とを備えてなり、両細管を前記ゴムキャップなどに突き刺して用いるものが知られている。
【０００３】
すなわち、特開昭５８−７６７６５号公報に示すように、試料供給装置の主要構成素子であって、吸引用細管（中心通孔の設けられた管）と通気用細管（第２通孔の設けられた管）とが同軸に設けられた同軸管構造を有し、その中心通孔で試料を吸引し第２通孔で通気を行う試料吸引管（吸引針）が知られている。
【０００４】
また、ゴムキャップや栓などにより密封された試料容器内へ液体試料を分注するための試料分注管としては、試料を分注するための分注用細管と分注時に通気を行うための通気用細管とを備えてなり、両細管を前記ゴムキャップなどに突き刺して用いるものが知られている。
【０００５】
すなわち、実公平６−３０２０３号公報に示すように、分注用細管（送液孔の設けられた管部）と通気用細管（空気抜き孔の設けられた管部）とが樹脂により棒状体に一体的に成形された試料分注管（液体分注針）が知られている。
【０００６】
【発明が解決しようとする課題】
前者の試料吸引管にあっては、２つの細管を同軸に設けるものであるため、製造しにくいうえコスト的にも不利である。後者の試料分注管にあっては、樹脂により一体的に成形されたものであるため、強度的には金属製のものに及ばない。
【０００７】
また、両者とも次のような問題がある。すなわち、いずれも管全体の外径が太いため、ゴムキャップや栓などに突き刺す際にゴムキャップなどとの間に大きな摩擦が生じ、管外面が磨耗するおそれがあるだけでなく、突き刺しに大きな力が必要となり管に無理な力がかかる。これらの管を試料分析装置の試料吸引に使用する場合には何度もゴムキャップなどを突き刺すことになるため、管には耐久性が要求されるが、特に後者の試料分注管は樹脂製のため磨耗が激しく、使用寿命が短いという問題がある。さらに、いずれも管全体の外径が太いため、突き刺し時にゴムキャップなどのカスが多く発生して管が詰まりやすいうえ、管を抜いた後にゴムキャップなどに孔が残り試料が漏れてしまうという問題がある。
【０００８】
本発明は、このような実情に鑑みてなされたものであり、その課題は、製造が容易であってコスト的にも有利であり、強度も比較的大きく、使用寿命が長く、カス詰まりや試料漏れなどのトラブルの発生を防止することのできる試料吸引管を提供することである。
【０００９】
【課題を解決するための手段】
本発明によれば、先端側に封鎖部が設けられ、内部に試料を吸引するための試料用通路を備えており、周壁面に同通路に連通する吸引用開口が設けられた金属製の吸引用細管と、先端側に封鎖部が設けられ、内部に試料吸引時の通気を行うための通気用通路を備えており、周壁面に同通路に連通する通気用開口が設けられた金属製の通気用細管とを備え、両細管が、先端どうしを揃えた状態で互いに平行に配され接合により一体化されてなり、
前記封鎖部は、金属製の線状部材を各細管の先端から挿入して接合した後に、細管突き刺し用の斜めカット面を設けることによって形成され、これら２つの斜めカット面が背中合わせ状に配されている試料吸引管が提供される。
【００１０】
吸引用細管および通気用細管としては例えば、ステンレス鋼やニッケル−チタン合金などの金属材料からなるものが用いられる。これらの細管の横断面形状は、試料容器の密封部材であるゴムキャップや栓などに突き刺す際の容易性を考慮して通常、円形または楕円形にされるが、方形やその他の形状であってもよい。
【００１１】
ここで、両細管の接合方法としては、各種の溶接やろう付け、接着剤による接着などが適宜選択されて用いられる。接合する箇所は特に限定されないが、試料吸引管の強度を考慮すると、少なくとも先端部分の周壁面は接合しておくことが好ましい。
【００１２】
各細管の封鎖部を形成する方法としては、各種の溶接やろう付け、接着剤による接着などの公知のものを用いることができるが、金属製の線状部材を各細管の先端から挿入して接合する方法がより好ましい。ここで、作業性や強度などを重視する観点、さらに電蝕による錆の発生を防止する観点からは、両細管および線状部材に同一材質からなるものを用いて、試料吸引管を一種類の金属で構成するのがより好ましい。
【００１３】
本発明に係る試料吸引管には、好ましくは、各細管の封鎖部に細管突き刺し用の斜めカット面が設けられ、これら２つの斜めカット面が背中合わせ状に配される。各斜めカット面の形状は、その細管の横断面形状が略円形または略楕円形の場合は略楕円形になり、その細管の横断面形状が方形の場合は縦長の方形になる。ここで、「背中合わせ状」とは、両細管の最先端部（斜めカット面の最先端部）どうしが、１８０度の角度をなす位置関係にある状態の他に、鈍角をなす位置関係にある状態をも含む概念をいうものとする。
【００１４】
各細管における斜めカット面が略楕円形であるとき（各細管の横断面形状が略円形または略楕円形である場合）、吸引用細管の吸引用開口および通気用細管の通気用開口は、各細管における斜めカット面（略楕円形）の長径端に交わる細管母線から外れた箇所に設けられているのが好ましい。これは、試料吸引管をゴムキャップや栓などに突き刺したときにゴムキャップなどのカスが背中合わせ状の２つの斜めカット面の箇所により多く発生するが、そのカスが試料吸引管の前進移動に伴って斜めカット面の長径端に交わる細管母線上を後方へ移動して吸引用開口や通気用開口に詰まるおそれを防止するためである。
【００１５】
各細管における斜めカット面が略楕円形であるとき、吸引用開口および通気用開口は、よりいっそう好ましくは、各細管における斜めカット面（略楕円形）の短径端に交わる細管母線の上に設けられる。これは、前記カスが吸引用開口や通気用開口に詰まるおそれをよりいっそう確実に防止するためである。
【００１６】
本発明において両細管を一体化するに際し、両細管と同一材質からなり、一方の細管の周壁面と略同一の曲率を有する凹状湾曲面と、他方の細管の周壁面と略同一の曲率を有する凹状湾曲面とが、稜線部を境界として隣り合った２つの三角柱状部材を用いるのが好ましい。また、一体化されて試料吸引管になったときにその試料吸引管の少なくとも先端側部分の横断面輪郭が略楕円形になるように、これら２本の細管及び２つの三角柱状部材を接合することがいっそう好ましい。この場合、２つの三角柱状部材は、ダイスを用いた線材引抜加工などにより成形される。そして、両細管を互いに平行に密着配置したときに両細管の密着箇所に形成される２つのＶ字状凹部をそれぞれ埋めるよう配される。すなわち、２つの三角柱状部材は、稜線部が互いに向き合った状態で、同凹部を臨む細管周壁面に密着するよう配置される。そのような試料吸引細管は、好適には以下のようにして製造される。まず、金属製の２つの細管と金属製の２つの三角状柱部材とを互いに平行に密着配置させる。２つの細管はそれぞれ吸引用、通気用として機能する。次に、各三角柱状部材に電極を接触させ、密着配置された部分の両側から電気抵抗溶接（例えばスポット溶接やシーム溶接）を行うことにより、これら２つの細管と２つの三角状柱部材とを一体化する。その後、各細管の周壁面に吸引用または通気用の開口を設ける。次に、金属製の線状部材を各細管の先端から挿入し各細管の先端を封鎖する。その後、各細管の封鎖された先端部分を鋭利に研磨して細管突き刺し用の斜めカット面を形成する。最後に、一体化された２つの細管と２つの三角状柱部材との外壁面のうちの少なくとも先端側部分に耐摩耗性皮膜を形成する。
【００１７】
【発明の実施の形態】
以下、本発明の実施の形態を図面に基づいて説明する。なお、これによって本発明が限定されるものではない。
図１は本発明の１つの実施の形態に係る試料吸引管Ｐを用いた試料吸引装置Ｄの概略構成説明図である。図１において、試料吸引装置Ｄは、試料吸引管Ｐ、通気管４０、接続管４２、吸引管４４、定量装置４６、吸引用シリンジ４８、洗浄液供給用ポンプ５０、空圧源５２および洗浄槽５４から主に構成されている。試料吸引管Ｐと吸引管４４とは、保持具３０とホルダ３１とをねじ止めすることにより接続されている。
【００１８】
試料吸引管Ｐは、試料容器Ｔに収納された液体試料としての血液を試料容器Ｔに装着されたゴムキャップＣを通して吸引採取するためのものであり、図２〜図４にも示すように、血液を吸引するための吸引用細管１０と、血液吸引時の通気を行うための通気用細管２０と、これら２本の細管１０・２０を保持するための保持具３０とからなる。
【００１９】
細管１０および細管２０は同一材質の金属、本例においてはステンレス鋼からなる、横断面形状が円形の管である。保持具３０はポリアセタール樹脂からなる直方体状の部材である。細管１０および細管２０は、先端（左端）どうしを揃えた状態で互いに平行に配された後に、周壁面どうしの接する箇所のうちの先端側部分に沿って溶接が行われて一体化されるとともに、基端（右端）および基端寄り部分が保持具３０内に埋め込み状に配されている。細管１０および細管２０は、いずれも外径が約０．８ｍｍ、内径が約０．５ｍｍ、保持具３０から先端側へ出ている部分の長さが約５０．０ｍｍである。
【００２０】
細管１０および細管２０は、図５に拡大して示すように、いずれも先端側に管路の先端封鎖による封鎖部１１・２１が設けられ、非封鎖の管路がそれぞれ、試料である血液を吸引するための試料用通路１２、試料吸引時の通気を行うための通気用通路２２にされている。
【００２１】
図５および図６に示すように、細管１０の周壁面には試料用通路１２に連通する円形の吸引用開口１３が１つ開けられている。細管２０の周壁面には通気用通路２２に連通する円形の通気用開口２３が１つ開けられている。なお、図６に示す５８は、細管１０・２０に前記溶接が施されて生じた部分である。
【００２２】
細管１０・２０の封鎖部１１・２１は、細管１０・２０と同一材質であるステンレス鋼からなる線状部材（ピン）５６・５６を未封鎖の細管１０・２０の先端管路に開口１３・２３の縁部まで挿入して接合することにより形成されたものである。
【００２３】
この接合は線状部材５６・５６の冷し嵌めにより行われた。すなわち、まず線状部材５６・５６を工業用アルコールの中に入れ、アルコールにドライアイスを砕いて入れた。すると、数分で−４０°Ｃ〜−７０°Ｃまで温度が下がり、線状部材５６・５６の径が縮小したので、未封鎖の細管１０・２０の先端管路へ線状部材５６・５６を簡単に挿入することができた。常温になると線状部材５６・５６の径が初めの寸法にもどろうとして、同細管１０・２０の先端管路壁面に圧力が生じ、線状部材５６・５６は接合された。
【００２４】
細管１０・２０の封鎖部１１・２１にはそれぞれ、細管１０・２０を突き刺すための、略楕円形の斜めカット面１４・２４が設けられている。これら２つの斜めカット面１４・２４は互いに同形・同大であり、背中合わせ状−両細管の最先端部（斜めカット面１４・２４の最先端部）どうしが１８０度の角度をなす位置関係にある状態−に配され、細管１０・２０の先端が鋭利な形状にされている。
【００２５】
これらの斜めカット面１４・２４を、図７に示す長径ｌ、短径ｓからなる楕円形と見なすと、吸引用開口１３および通気用開口２３は、それぞれの細管１０・２０における長径ｌの端に交わる母線１５・２５から外れた箇所に設けられている。すなわち、これらの開口１３・２３は、図５に示すように、それぞれの細管１０・２０における短径ｓの端に交わる母線１６・２６の上に開口中心が位置するように設けられている。
【００２６】
その理由は、試料吸引管Ｐを試料容器ＴのゴムキャップＣに突き刺したときに、細管１０・２０における背中合わせ状の２つの斜めカット面１４・２４の箇所により多く発生したゴムキャップＣのカスが試料吸引管Ｐの前進移動に伴って細管１０・２０の母線１５・２５の上を後方へ移動する傾向が強いため、吸引用開口１３と通気用開口２３がそれぞれの細管１０・２０の母線１６・２６の上に設けられていれば、前記カスが開口１３・２３に詰まるおそれを確実に防止することができるからである。
【００２７】
細管１０および細管２０の周壁面のうちの、図５の長さＬで示す先端部分には、耐磨耗性、耐蝕性に優れた皮膜が形成されている。すなわち、イオンプレーティング法によりチタン皮膜が形成されている。このような皮膜により、細管１０・２０の周壁面のうちの長さＬの部分は、それ以外の部分に比べて硬度がより高くされており、ゴムキャップＣに突き刺したときに磨耗しにくい。
【００２８】
次に、本発明の他の実施の形態に係る試料吸引管Ｑとその製造方法について図８〜図１６を参照しながら説明する。
【００２９】
密着工程
図８に示すように、ステンレス鋼からなる２つの細管６０・６２と、これらと同一のステンレス鋼からなる２つの三角柱状部材６４・６６とが用意される。細管６０・６２はいずれも、全長が約７５ｍｍ、外径が約０．８ｍｍ、内径が約０．５ｍｍである。三角柱状部材６４・６６は、線引機に取り付けられたダイスを用いた線材引抜加工により、横断面形状が略二等辺三角形になるように成形されたものである。各三角柱状部材６４・６６は、全長が約５０ｍｍであり、１つの平面６４ａ・６６ａと、２つの細管６０・６２の各周壁面と略同一の曲率を有する２つの凹状湾曲面６４ｂ・６４ｃ・６６ｂ・６６ｃとを有し、２つの湾曲面６４ｂ・６４ｃ・６６ｂ・６６ｃが稜線部６４ｄ・６６ｄを境界として隣り合っている。
【００３０】
図８に示すように、まず、２つの細管６０・６２が先端どうしを揃えた状態で互いに平行に周壁面どうしで密着配置される。そして、図９に示すように、２つの三角柱状部材６４・６６が、それぞれの稜線部６４ｄ・６６ｄを対向させた状態で両細管６０・６２に沿ってそれらの周壁面に密着配置される。すなわち、三角柱状部材６４・６６は、両細管６０・６２を平行に密着配置したときにこれらの間に形成される２つのＶ字状凹部６８・７０をそれぞれ埋めるように、密着配置される。
【００３１】
この密着配置は図１０に示すような固定具９０を用いて行われた。すなわち、固定具９０は、略方形の上板９１、下板９２及び内板９３が４つのネジ部材９４により一体化されて作られている。そして、上板９１及び下板９２にはそれぞれ、幅が約４ｍｍの張出部９１ａ・９２ａが形成されている。また、内板９３には保持部９３ａが形成されている。この保持部９３ａは、幅が約１．７ｍｍ、高さが約０．９ｍｍであり、奥行きが内板９３の奥行きに等しい空間である。
【００３２】
このような固定具９０の保持部９３ａに、両細管６０・６２及び両三角柱状部材６４・６６のそれぞれの基端側を一定長さだけ挿入することで、前記の密着配置が行われた。
【００３３】
溶接工程
次に、固定具９０により密着配置された両細管６０・６２及び両三角柱状部材６４・６６を図１１に示すようなバイス９５で左右両側から挟持する。すなわち、バイス９５は、平面形状が口字状のフレーム９６と、このフレーム９６の内側に固定状に設けられた左側挟持部材９７と、フレーム９６の内側に可動状に設けられた右側挟持部材９８と、この右側挟持部材９８に接続された操作部材９９とからなる。操作部材９９は、フレーム９６に設けられた雌ねじ部９６ａにねじ合う雄ねじ部９９ａを有しており、その回転操作により右側挟持部材９８を左右に移動させる。２つの挟持部材９７・９８はそれぞれ、挟持部９７ａ・９８ａを有している。
【００３４】
固定具９０により密着配置され、バイス９５により挟持された両細管６０・６２及び両三角柱状部材６４・６６は、図１２に示すようなスポット溶接装置１００によりスポット溶接に付される。すなわち、スポット溶接装置１００は、溶接機本体１０１と、この溶接機本体１０１に接続された上下一対の電極１０２・１０３と、前後方向（図１２において紙面に対して垂直な方向）へ移動することの可能な移動テーブル１０４と、この移動テーブル１０４を移動させるための駆動部１０５とから、主として構成されている。
【００３５】
このスポット溶接では、両細管６０・６２及び両三角柱状部材６４・６６を挟持したバイス９５が移動テーブル１０４に上面にねじ止めされて所定位置に固定された後、移動テーブル１０４が前方向（図１２において紙面の表方向）へ間欠的に移動する。この移動テーブル１０４の移動に連動して、両細管６０・６２に密着配置された両三角柱状部材６４・６６の平面６４ａ・６６ａに電極１０２・１０３が間欠的に加圧・通電されて所定のスポット溶接が施される。
【００３６】
このスポット溶接の溶接条件は次のとおりであった。充電電圧：２７０Ｖ、溶接電流：１．６Ａ／ｍｓｅｃ、溶接ピッチ：０．２ｍｍ、溶接箇所：両細管６０・６２及び両三角柱状部材６４・６６の先端箇所から基端側へ５０ｍｍの箇所まで、溶接時間：２．０分間。
【００３７】
開口工程
このようにして一体化された両細管６０・６２及び両三角柱状部材６４・６６の周壁面に、ドリルによる孔あけ加工が施されて、図１３で示すように、吸引用開口７２及び通気用開口７４が形成される。これらの開口７２・７４は、直径が０．５ｍｍであり、上側の三角柱状部材６４の左右両側縁が両細管６０に接する箇所に形成されている。
【００３８】
封鎖工程
次いで、図１４に示すように、両細管６０・６２と同一のステンレス鋼からなり、直径が約０．４９ｍｍの長短２つの線状部材（ピン）７６・７８をそれぞれ、未封鎖の細管６０・６２の先端側から開口７２・７４の縁部まで挿入する。挿入される線状部材７６・７８は、前記のような冷し嵌めを行うために所定温度に冷却されているのが好ましい。これらの線状部材７６・７８の挿入の後に、スポット溶接装置１００で両細管６０・６２及び両三角柱状部材６４・６６の上下両面（平面６４ａ・６６ａ）及び左右両面（細管６０・６２の周壁）にスポット溶接を行い、細管６０・６２と線状部材７６・７８とを接合する。これにより、両細管６０・６２の先端が封鎖される。
【００３９】
研磨工程
その後、図１５に示すように、両細管６０・６２の封鎖部を鋭利に研磨することで、細管突き刺し用の斜めカット面８０・８２が得られる。この研磨の方法や条件、斜めカット面８０・８２の大きさや形状は前記の試料吸引管Ｐにおけるそれらと同一である。
【００４０】
皮膜形成工程
次いで、一体化された細管６０・６２及び三角柱状部材６４・６６の外周壁全体に、イオンプレーティング法により耐摩耗性、耐腐食性に優れたチタン皮膜が形成される。
【００４１】
保持具形成工程
以上の各工程を経た後、一体化された細管６０・６２の基端側に保持具（試料吸引管Ｐにおける保持具３０と同一）がポリアセタール樹脂成形により設けられて、試料吸引管Ｑが完成する。
【００４２】
完成した試料吸引管Ｑの横断面輪郭は、図１６に示すように、凹凸面のない略楕円形である。したがって、試料吸引管Ｑは強度に優れ、試料容器ＴのキャップＣへの突き刺し時に摩擦抵抗が少ない。
【００４３】
なお、前記のように、両細管６０・６２を挟んで電極を配してスポット溶接を行うので、製造時に両細管６０・６２が曲がるというような問題は起こらない。
【００４４】
【発明の効果】
本発明に係る試料吸引装置は、前記のように構成されているので、次のような顕著な効果を奏する。
【００４５】
すなわち、請求項１記載の試料吸引管にあっては、ともに金属製の吸引用細管および通気用細管が互いに平行に配され接合により一体化されている。したがって、製造が容易であってコスト的にも有利であり、管全体の外径を従来のものよりも小さくすることができるため、強度も比較的大きく、試料容器のゴムキャップや栓などに突き刺すときのゴムキャップなどとの摩擦力を軽減することができる点で使用寿命が長くなるうえ、ゴムキャップなどに生じる突き刺し孔を従来よりも小さくすることができる点でカス詰まりや試料漏れなどのトラブルの発生を防止することができる。
また、請求項１記載の試料吸引管にあっては、前記封鎖部は、金属製の線状部材を各細管の先端から挿入して接合した後に、細管突き刺し用の斜めカット面を設けることによって形成され、これら２つの斜めカット面が背中合わせ状に配されている。したがって、試料吸引管を試料容器のゴムキャップや栓などに突き刺すときに各細管にかかる摩擦力を各細管へ略均等に配分することが可能になり、突き刺し時に各細管にかかる摩擦力をいっそう軽減することができる。
【００４６】
請求項２記載の試料吸引管にあっては、両細管および線状部材が同一材質の金属からなるものであるので、電蝕による錆の発生を防止することができる。
【００４８】
請求項３記載の試料吸引管にあっては、各細管における斜めカット面が略楕円形であり、吸引用開口および通気用開口が、各細管における斜めカット面の長径端に交わる細管母線から外れた箇所に設けられている。したがって、請求項１記載の試料吸引管が奏する前記効果に加えて、試料吸引管をゴムキャップや栓などに突き刺したときにゴムキャップなどのカスが背中合わせ状の２つの斜めカット面の箇所により多く発生し、そのカスが試料吸引管の前進移動に伴って斜めカット面の長径端に交わる細管母線上を後方へ移動して吸引用開口や通気用開口に詰まるおそれを防止することができる。
【００４９】
請求項４記載の試料吸引管にあっては、吸引用開口および通気用開口が、各細管における斜めカット面の短径端に交わる細管母線の上に設けられている。したがって、請求項３記載の試料吸引管が奏する前記効果をよりいっそう確実に奏することができる。
【００５０】
請求項５記載の試料吸引管にあっては、２つの三角柱状部材が補助部材として機能するので強度に優れている。また、これらの三角柱状部材により２つの細管の周壁面に凹凸が形成されないので、試料容器のキャップへの突き刺し時に摩擦抵抗が少ないという利点を有する。
【００５１】
請求項６記載の試料吸引管にあっては、密着配置された２つの細管及び２つの三角柱状部材が２つの三角柱状部材が電気抵抗溶接により一体化されているので、細管の曲がりなどの問題がないうえに、製造コストが安価であるという利点がある。
【図面の簡単な説明】
【図１】本発明の１つの実施の形態に係る試料吸引管を用いた試料吸引装置の概略構成説明図である。
【図２】図１の試料吸引管の底面図である。
【図３】図１の試料吸引管の右側面図である。
【図４】図１の試料吸引管の左側面図である。
【図５】図１の試料吸引管の先端部を拡大した正面図である。
【図６】図５のVI−VI線に沿う断面図である。
【図７】図１の試料吸引管を構成する各細管の先端部を拡大した正面図である。
【図８】本発明の他の１つの実施の形態に係る試料吸引管を製造する際の密着工程の途中の状態を説明する構成説明図である。
【図９】図８の試料吸引管を製造する際の密着工程を説明する構成説明図である。
【図１０】図８の試料吸引管を製造する際の密着工程を説明する構成説明図である。
【図１１】図８の試料吸引管を製造する際の密着工程を説明する構成説明図である。
【図１２】図８の試料吸引管を製造する際の溶接工程を説明する構成説明図である。
【図１３】図８の試料吸引管を製造する際の開口工程を説明する構成説明図である。
【図１４】図８の試料吸引管を製造する際の封鎖工程を説明する構成説明図である。
【図１５】図８の試料吸引管を製造する際の研磨工程を説明する構成説明図である。
【図１６】図１５のＸVI−ＸVI線に沿う断面図である。
【符号の説明】
１０    吸引用細管
１１    封鎖部
１２    試料用通路
１３    吸引用開口
１４    斜めカット面
１５    母線
２０    通気用細管
２１    封鎖部
２２    通気用通路
２３    通気用開口
２４    斜めカット面
２５    母線
３０    保持具
３１    ホルダ
５６    線状部材
ｌ    長径
ｓ    短径
６０    吸引用細管
６２    通気用細管
６４    三角柱状部材
６６    三角柱状部材
７２    吸引用開口
７４    通気用開口
７６    線状部材
７８    線状部材
８０    斜めカット面
８２    斜めカット面
１００    スポット溶接装置
１０２    電極
１０３    電極
【図１】
0003678527.tif 000002
【図２】
0003678527.tif 000003
【図３】
0003678527.tif 000004
【図４】
0003678527.tif 000005
【図５】
0003678527.tif 000006
【図６】
0003678527.tif 000007
【図７】
0003678527.tif 000008
【図８】
0003678527.tif 000009
【図９】
0003678527.tif 000010
【図１０】
0003678527.tif 000011
【図１１】
0003678527.tif 000012
【図１２】
0003678527.tif 000013
【図１３】
0003678527.tif 000014
【図１４】
0003678527.tif 000015
【図１５】
0003678527.tif 000016
【図１６】
0003678527.tif 000017